【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  定電圧電源により被電圧印加部材に電圧を印加し、前記被電圧印加部材に流れる電流を電流検知手段により検知し、前記被電圧印加部材に印加された電圧をある電圧幅毎に変化させて、前記電流検知手段により検知された電流値が所定の電流値になるように前記定電圧電源の出力を制御する制御方法において、
前記電流検知手段により検知された電流値に応じて、前記電圧幅を変更することを特徴とする制御方法。
【請求項２】  前記所定の電流値と前記電流検知手段により検知された電流値との差に応じて、前記電圧幅を変更することを特徴とする請求項１に記載の制御方法。
【請求項３】  前記電流検知手段により検知された電流値が前記所定の電流値よりも小さい場合と、大きい場合とでは、前記電圧幅は異なることを特徴とする請求項１又は２に記載の制御方法。
【請求項４】  前記被電圧印加部材に電圧を印加してから所定の時間が経過した後、前記電流検知手段による検知を開始することを特徴とする請求項１乃至３のいずれか一項に記載の制御方法。
【請求項５】  像を担持する像担持体と、前記像担持体上の像を静電的に転写材に転写する転写手段と、前記転写手段に電圧を印加する定電圧電源と、前記定電圧電源により前記転写手段に電圧が印加されたとき、前記転写手段に流れる電流を検知する電流検知手段と、前記転写手段に印加された電圧をある電圧幅毎に変化させて、前記電流検知手段により検知された電流値が所定の電流値になるように前記定電圧電源の出力を制御する制御手段と、を有する画像形成装置において、
前記電流検知手段により検知された電流値に応じて、前記電圧幅を変更することを特徴とする画像形成装置。
【請求項６】  像を担持する像担持体と、前記像担持体上の像を静電的に転写材に転写する転写手段と、前記転写手段に電圧を印加する定電圧電源と、を有し、前記転写手段に流れる電流の値が所定の電流値に近づくように、前記定電圧電源の出力電圧がある電圧幅毎に段階的に変化するように制御する画像形成装置において、
前記転写手段に流れる電流の値と所定の電流値の差の絶対値が所定の値よりも小さい場合の前記電圧幅が、前記転写手段に流れる電流値と所定の電流値の差の絶対値が所定の値以上の場合の前記電圧幅よりも小さくなることを特徴とする画像形成装置。
【請求項７】  前記所定の電流値は、転写材の転写材が移動する方向と直交する方向の長さに基づいて変更することを特徴とする請求項５または６に記載の画像形成装置。
【請求項８】  転写材の転写材が移動する方向と直交する方向の長さを検知する転写材検知手段を有し、前記所定の電流値は前記転写材検知手段の検知結果に基づいて変更することを特徴とする請求項７に記載の画像形成装置。
【請求項９】  前記転写手段に印加する電圧の上限値及び下限値は、転写材の転写材が移動する方向と直交する方向の長さに応じて変更することを特徴とする請求項７又は８に記載の画像形成装置。
【請求項１０】  前記転写手段により前記像担持体上の像が転写材の第１面に転写された後、転写材の前記第１面とは反対側の第２面に前記像担持体上の像を転写可能である場合、前記所定の電流値は、前記転写手段により前記像担持体上の像が転写される面が転写材の前記第１面か前記第２面かに基づいて変更されることを特徴とする請求項５または６に記載の画像形成装置。
【請求項１１】  前記転写手段により前記像担持体上の像が転写される面が転写材の前記第１面なのか前記第２面なのかどうかを判別する判別手段を有し、前記所定の電流値は前記判別手段の判別結果に基づいて変更することを特徴とする請求項１０に記載の画像形成装置。
【請求項１２】  前記転写手段に印加される電圧の上限値及び下限値は、前記像担持体上の像が転写される面が転写材の前記第１面か前記第２面かに基づいて変更することを特徴とする請求項１０又は１１に記載の画像形成装置。
【請求項１３】  前記転写手段により前記像担持体上の像が転写材に転写される前に、転写材を挟み込むように接触して電圧を印加する接触部材を備え、前記所定の電流値は前記接触部材に電圧が印加されたとき前記接触部材に流れる電流値に基づいて変更することを特徴とする請求項５または６に記載の画像形成装置。
【請求項１４】  前記転写手段に印加される電圧の上限値及び下限値は、前記接触部材に流れる電流値に基づいて可変とされることを特徴とする請求項１３に記載の画像形成装置。
【請求項１５】  前記装置は、前記像担持体上の単色トナー像を転写材に静電的に転写に転写する単色画像形成モードと、前記像担持体上の複数色のトナー像を転写材に順次重ねて静電的に転写する多色画像形成モードと、に切換え可能であり、前記所定の電流値は前記単色画像形成モードと、前記多色画像形成モードとで異なることを特徴とする請求項５または６に記載の画像形成装置。
【請求項１６】  前記所定の電流値と前記電流検知手段により検知された電流値との差に応じて、前記電圧幅は可変であることを特徴とする請求項５乃至１５のいずれか一項に記載の画像形成装置。
【請求項１７】  前記電流検知手段により検知された電流値が前記所定の電流値よりも小さい場合と、大きい場合とでは、前記電圧幅は異なることを特徴とする請求項５乃至１６のいずれか一項に記載の画像形成装置。
【手続補正２】
【補正対象書類名】明細書
【補正対象項目名】００２７
【補正方法】変更
【補正の内容】
【００２７】
【課題を解決するための手段】
上記目的は、本願発明により達成される。本願発明によれば、定電圧電源により被電圧印加部材に電圧を印加し、前記被電圧印加部材に流れる電流を電流検知手段により検知し、前記被電圧印加部材に印加された電圧をある電圧幅毎に変化させて、前記電流検知手段により検知された電流値が所定の電流値になるように前記定電圧電源の出力を制御する制御方法において、前記電流検知手段により検知された電流値に応じて、前記電圧幅を変更することを特徴とする。
【手続補正３】
【補正対象書類名】明細書
【補正対象項目名】００２８
【補正方法】変更
【補正の内容】
【００２８】
また、別の実施態様によれば、像を担持する像担持体と、前記像担持体上の像を静電的に転写材に転写する転写手段と、前記転写手段に電圧を印加する定電圧電源と、前記定電圧電源により前記転写手段に電圧が印加されたとき、前記転写手段に流れる電流を検知する電流検知手段と、前記転写手段に印加された電圧をある電圧幅毎に変化させて、前記電流検知手段により検知された電流値が所定の電流値になるように前記定電圧電源の出力を制御する制御手段と、を有する画像形成装置において、前記電流検知手段により検知された電流値に応じて、前記電圧幅を変更することを特徴とする。更に別の実施態様によれば、像を担持する像担持体と、前記像担持体上の像を静電的に転写材に転写する転写手段と、前記転写手段に電圧を印加する定電圧電源と、を有し、前記転写手段に流れる電流の値が所定の電流値に近づくように、前記定電圧電源の出力電圧がある電圧幅毎に段階的に変化するように制御する画像形成装置において、前記転写手段に流れる電流の値と所定の電流値の差の絶対値が所定の値よりも小さい場合の前記電圧幅が、前記転写手段に流れる電流値と所定の電流値の差の絶対値が所定の値以上の場合の前記電圧幅よりも小さくなることを特徴とする。